(57)【要約】【課題】接着剤を使用せずに接合し、折畳んで成形することができる食器カバー構造を提供する。【解決手段】食器カバー構造１００は、中央板１０、第１の翼板１１及び第２の翼板１２を備える。前記中央板１０は、中央折り線２０を有する。第１の翼板１１は、中央板１０の一側に設けられるとともに、第１の斜辺３１を有する。前記第１の翼板１１と前記中央板１０との間には、第１の長折り線２１が設けられる。前記第２の翼板１２は、前記中央板１０の他側に設けられるとともに、前記第１の斜辺３１に対応する第２の斜辺３２を有する。前記第２の翼板１２と前記中央板１０との間には、第２の長折り線２２が設けられる。前記第１の翼板１１は、第１の短折り線４１を有する。前記第２の翼板１２は、第２の短折り線４２を有する。【選択図】図１
0003218845.tif 000002
【実用新案登録請求の範囲】
【請求項１】
中央板、第１の翼板及び第２の翼板を備えた食器カバー構造であって、
前記中央板は、中央折り線を有し、
前記第１の翼板は、前記中央板の一側に設けられるとともに、第１の斜辺を有し、前記第１の翼板と前記中央板との間には、第１の長折り線が設けられ、
前記第２の翼板は、前記中央板の他側に設けられるとともに、前記第１の斜辺に対応する第２の斜辺を有し、前記第２の翼板と前記中央板との間には、第２の長折り線が設けられ、
前記第１の翼板は、第１の短折り線を有し、前記第２の翼板は、第２の短折り線を有し、前記中央折り線から前記第１の長折り線までの距離と、前記中央折り線から前記第２の長折り線までの距離と、前記第１の長折り線から前記第１の短折り線までの距離と、前記第２の長折り線から前記第２の短折り線までの距離とはそれぞれ等しいことを特徴とする食器カバー構造。
【請求項２】
前記中央板は、前記中央折り線により設置面と背面とに区分けされ、
前記中央板には、２つの貫通溝が形成され、
複数の前記貫通溝は、前記中央板の前記設置面に形成されるとともに、前記中央折り線の延伸方向で配列されることを特徴とする請求項１に記載の食器カバー構造。
【請求項３】
前記貫通溝の延伸方向は、前記中央折り線の延伸方向に対してそれぞれ垂直であることを特徴とする請求項２に記載の食器カバー構造。
【請求項４】
前記第１の翼板は、第３の斜辺を有し、
前記第２の翼板は、前記第３の斜辺に対応する第４の斜辺を有し、
前記第１の斜辺、前記第３の斜辺及び前記第１の短折り線は、第１の突出部を画成し、
前記第２の斜辺、前記第４の斜辺及び前記第２の短折り線は、第２の突出部を画成することを特徴とする請求項１に記載の食器カバー構造。
【請求項５】
前記中央板は、嵌合溝を有し、
前記嵌合溝は、前記中央折り線の中央部に形成され、前記第１の突出部及び前記第２の突出部が挿入されることを特徴とする請求項４に記載の食器カバー構造。
【請求項６】
前記第１の翼板は、前記第１の長折り線の延伸方向に対して垂直な方向の最大幅が、前記第２の長折り線の延伸方向に対して垂直な方向の前記第２の翼板の最大幅より大きいことを特徴とする請求項１〜５の何れか１項に記載の食器カバー構造。
【考案の詳細な説明】
【技術分野】
【０００１】
本考案は、食器カバー構造、特に、接着剤を使用せず、折畳んで成形することができる食器のカバーに関する。
【背景技術】
【０００２】
一般のレストランでは、衛生面を考慮し、箸、ナイフとフォーク、スプーンなどの食器を紙製の食器カバー内に収めるようにしていた。これら紙製の食器カバーは、袋状にして食器を収めるために、糊で接着させる必要があった。
【０００３】
食器カバーを原料（紙）から完成品にする工程では、切断、折り曲げ、印刷などの基本工程以外に、接着の工程を経る必要があった。しかし接着工程は、生産コストが増え、環境を汚染する恐れもあった。また、接着工程が入る分、製造時間が長くなっていた。
【０００４】
そのため、接着剤を使用せずに折畳んで成形することができる食器カバーの構造が求められていた。
【考案の概要】
【考案が解決しようとする課題】
【０００５】
本考案の目的は、接着剤を使用せずに折畳んで成形し、従来技術で接着工程が必要だった点を改善する食器カバー構造を提供することにある。
【課題を解決するための手段】
【０００６】
本考案の第１の形態によれば、中央板、第１の翼板及び第２の翼板を備えた食器カバー構造であって、前記中央板は、中央折り線を有し、前記第１の翼板は、前記中央板の一側に設けられるとともに、第１の斜辺を有し、前記第１の翼板と前記中央板との間には、第１の長折り線が設けられ、前記第２の翼板は、前記中央板の他側に設けられるとともに、前記第１の斜辺に対応する第２の斜辺を有し、前記第２の翼板と前記中央板との間には、第２の長折り線が設けられ、前記第１の翼板は、第１の短折り線を有し、前記第２の翼板は、第２の短折り線を有し、前記中央折り線から前記第１の長折り線までの距離と、前記中央折り線から前記第２の長折り線までの距離と、前記第１の長折り線から前記第１の短折り線までの距離と、前記第２の長折り線から前記第２の短折り線までの距離とはそれぞれ等しいことを特徴とする食器カバー構造が提供される。
【０００７】
前記中央板は、前記中央折り線により設置面と背面とに区分けされ、前記中央板には、２つの貫通溝が形成され、複数の前記貫通溝は、前記中央板の前記設置面に形成されるとともに、前記中央折り線の延伸方向で配列されることが好ましい。
【０００８】
前記貫通溝の延伸方向は、前記中央折り線の延伸方向に対してそれぞれ垂直であることが好ましい。
【０００９】
前記第１の翼板は、第３の斜辺を有し、前記第２の翼板は、前記第３の斜辺に対応する第４の斜辺を有し、前記第１の斜辺、前記第３の斜辺及び前記第１の短折り線は、第１の突出部を画成し、前記第２の斜辺、前記第４の斜辺及び前記第２の短折り線は、第２の突出部を画成することが好ましい。
【００１０】
前記中央板は、嵌合溝を有し、前記嵌合溝は、前記中央折り線の中央部に形成され、前記第１の突出部及び前記第２の突出部が挿入されることが好ましい。
【００１１】
前記第１の翼板は、前記第１の長折り線の延伸方向に対して垂直な方向の最大幅が、前記第２の長折り線の延伸方向に対して垂直な方向の前記第２の翼板の最大幅より大きいことが好ましい。
【考案の効果】
【００１２】
本考案の食器カバー構造は、中央板、第１の翼板及び第２の翼板を介し、複数の長折り線及び短折り線で折畳んで、食器を収容する食器カバーを成形することができるため、その製造工程では接着剤を使用する必要がなく、コストを節減して工程時間を短くすることができ、組立てが容易で、なによりも見た目が良く実用的である。
【図面の簡単な説明】
【００１３】
【図１】図１は、本考案の第１実施形態に係る食器カバー構造を示す展開図である。
【図２】図２は、本考案の第２実施形態に係る食器カバー構造を示す展開図である。
【図３】図３は、本考案の第３実施形態に係る食器カバー構造を示す展開図である。
【図４】図４は、本考案の第４実施形態に係る食器カバー構造を示す展開図である。
【図５】図５は、図４の食器カバー構造を折畳んで食器を収容する食器カバーに成形するステップを示す説明図（１）である。
【図６】図６は、図４の食器カバー構造を折畳んで食器を収容する食器カバーに成形するステップを示す説明図（２）である。
【図７】図７は、図４の食器カバー構造を折畳んで食器を収容する食器カバーに成形するステップを示す説明図（３）である。
【図８】図８は、図４の食器カバー構造を折畳んで食器を収容する食器カバーに成形するステップを示す説明図（４）である。
【考案を実施するための形態】
【００１４】
以下、本考案の目的、特徴及び効果をより分かりやすくするために、具体的な実施形態について図に基づいて詳しく説明する。
【００１５】
（第１実施形態）
図１を参照する。図１は、本考案の第１実施形態に係る食器カバー構造を示す展開図である。図１に示すように、食器カバー構造１００は、少なくとも中央板１０、第１の翼板１１及び第２の翼板１２から構成されてなる。
【００１６】
第１実施形態の中央板１０は、中央折り線２０を有する。第１の翼板１１は、中央板１０の一側に設けられる。第１の翼板１１は、第１の斜辺３１を有する。第１の翼板１１と中央板１０との間には、第１の長折り線２１が設けられる。第２の翼板１２は、中央板１０の他側に設けられる（第１の翼板１１に対向する）。第２の翼板１２は、第１の斜辺３１に対応する第２の斜辺３２を有する。第２の翼板１２と中央板１０との間には、第２の長折り線２２が設けられる。
【００１７】
図１に示すように、第１の翼板１１は、第１の短折り線４１を有し、第２の翼板１２は、第２の短折り線４２を有する。中央折り線２０から第１の長折り線２１までの距離Ｄ１と、中央折り線２０から第２の長折り線２２までの距離Ｄ２と、第１の長折り線２１から第１の短折り線４１までの距離Ｄ３と、第２の長折り線２２から第２の短折り線４２までの距離Ｄ４とはそれぞれ等しい。
【００１８】
中央折り線２０、第１の長折り線２１、第２の長折り線２２、第１の短折り線４１及び第２の短折り線４２に沿って食器カバー構造１００を折畳むと、箸、ナイフとフォーク、スプーンなどの食器を収容する食器カバーに成形することができる。
【００１９】
例えば、中央折り線２０に沿って食器カバー構造１００を折畳むと、第１の翼板１１と第２の翼板１２とが重なり、中央折り線２０から第１の長折り線２１までの距離Ｄ１は、中央折り線２０から第２の長折り線２２までの距離Ｄ２に等しいため、第１の長折り線２１と第２の長折り線２２とが重なる。また、第１の長折り線２１から第１の短折り線４１までの距離Ｄ３が、第２の長折り線２２から第２の短折り線４２までの距離Ｄ４に等しいため、第１の短折り線４１と第２の短折り線４２とが重なる。中央板１０は、中央折り線２０により設置面１０１と背面１０３とに区分けされる。
【００２０】
第１の翼板１１及び第２の翼板１２は、第１の長折り線２１（及び第２の長折り線２２）に沿って、中央板１０の設置面１０１に向けて折畳むことができる。最終的に、第１の翼板１１及び第２の翼板１２を第１の短折り線４１（及び第２の短折り線４２）に沿って、中央板１０の背面１０３に向けて折畳む。また、第１の翼板１１及び第２の翼板１２の一部が中央板１０の背面１０３下に押圧されると、中央板１０の設置面１０１と第１の翼板１１（及び第２の翼板１２）との間に収容空間が形成される。収容空間には、箸、ナイフとフォーク、スプーンなどの食器が収容され、第１の翼板１１が第１の斜辺３１を有し、第２の翼板１２が第２の斜辺３２を有するため、収容された食器の一端が第１の翼板１１（及び第２の翼板１２）から露出され、ユーザは収容された食器を都合よく取り出すことができる。
【００２１】
第１実施形態の食器カバー構造１００は、中央板１０、第１の翼板１１及び第２の翼板１２を、第１の長折り線２１、第２の長折り線２２及び第１の短折り線４１及び第２の短折り線４２により折畳むと、食器を収容する食器カバーに成形される。このように、食器カバー構造１００を製造する過程では、接着剤を使用する必要がないため、コストを節約し、製造時間を短縮し、容易に組立てて成形することができる。
【００２２】
（第２実施形態）
図２を参照する。図２は、本考案の第２実施形態に係る食器カバー構造１００’を示す展開図である。図２に示すように、第２実施形態に係る食器カバー構造１００’は、図１の食器カバー構造１００と異なり、中央板１０に２つの貫通溝５１が形成される。複数の貫通溝５１は、中央板１０の設置面１０１に形成されるとともに、中央折り線２０の延伸方向で配列され、図２に示すように、第２実施形態の各貫通溝５１の延伸方向は、中央折り線２０の延伸方向に対して垂直でもよく、これだけに限定されず、各貫通溝５１の延伸方向は、図２の方向と異なってもよく、食器が複数の貫通溝５１により、食器カバー構造１００が折畳まれて成形された食器カバー内に強固に収容される。その他図１が示す食器カバー構造１００と同じ箇所については、ここでは詳しく述べない。
【００２３】
（第３実施形態）
図３を参照する。図３は、本考案の第３実施形態に係る食器カバー構造１００’’を示す展開図である。図３の第３実施形態に係る食器カバー構造１００’’は、図１の食器カバー構造１００と異なり、食器カバー構造１００’’の第１の翼板１１’は、第３の斜辺３３を有する。第２の翼板１２’は、第３の斜辺３３に対応する第４の斜辺３４を有する。
【００２４】
図３の食器カバー構造１００’’は、前述した図１の食器カバー構造１００と類似した方式で折畳むことができる。第３の斜辺３３及び第４の斜辺３４は、収容された食器の両端を第１の翼板１１’（及び第２の翼板１２’）から露出させることができる。また、第１の斜辺３１、第３の斜辺３３及び第１の短折り線４１’は、第１の突出部６１を画成する。第２の斜辺３２、第４の斜辺３４及び第２の短折り線４２’は、第２の突出部６２を画成する。第３実施形態の中央板１０は、嵌合溝５３を含む。嵌合溝５３は、中央折り線２０の中央部に形成され、第１の突出部６１及び第２の突出部６２を挿入させることができる。
【００２５】
（第４実施形態）
図４を参照する。図４は、本考案の第４実施形態に係る食器カバー構造を示す展開図である。図４の第４実施形態に係る食器カバー構造１００’’’は、図３の食器カバー構造１００’’と類似した構造を有するが、図４の食器カバー構造１００’’’の第１の翼板１１’’の第１の長折り線２１の延伸方向に対して垂直な方向の最大幅Ｌ１は、第２の翼板１２’の第２の長折り線２２の延伸方向に対して垂直な方向の最大幅Ｌ２より大きいが、その他図３に示す食器カバー構造１００’’と同じ箇所については、ここでは詳しく述べない。以下、図４に示す食器カバー構造１００’’’の折畳み方式について詳しく説明する。
【００２６】
図５〜図８を参照する。図５〜図８は、図４の食器カバー構造１００’’’を折畳んで食器（箸）を収容する食器カバーに成形する各ステップを示す説明図（１）〜（４）である。図４及び図５に示すように、まず、中央折り線２０に沿って食器カバー構造１００’’’を折畳み、第１の翼板１１’’と第２の翼板１２’とを重ねる。中央折り線２０から第１の長折り線２１までの距離が、中央折り線２０から第２の長折り線２２までの距離に等しいため、第１の長折り線２１と第２の長折り線２２とが重なる。また、第１の長折り線２１から第１の短折り線４１’までの距離が、第２の長折り線２２から第２の短折り線４２’までの距離に等しいため、第１の短折り線４１’と第２の短折り線４２’とが重なる。図５は、中央板１０の設置面１０１を示す。
【００２７】
また、図６に示すように、中央板１０の設置面１０１に形成された２つの貫通溝５１には、食器が収容される。本実施形態では、１組の箸を食器の例としているが、本考案はこの態様だけに限定されるわけではない。
【００２８】
続いて、図７を参照する。図７に示すように、第１の翼板１１’’及び第２の翼板１２’は、第１の長折り線２１（及び第２の長折り線２２）に沿って中央板１０の設置面１０１に向けて折畳まれる。同時に、図４及び図７に示すように、本実施形態では、第１の翼板１１’’が第１の長折り線２１の延伸方向に対して垂直な方向の最大幅Ｌ１は、第２の翼板１２’が第２の長折り線２２の延伸方向に対して垂直な方向の最大幅Ｌ２より大きいため、第１の翼板１１’’及び第２の翼板１２’が第１の長折り線２１（及び第２の長折り線２２）に沿って中央板１０の設置面１０１に向けて折畳まれると、第１の翼板１１’’の図７に示す部分が第２の翼板１２’から露出され、第２の翼板１２’により完全に遮られることがないため、食器カバー構造１００’を折畳んで成形した食器カバーの見た目を良くすることができる。
【００２９】
しかし、本考案はこの形態だけに限定されるわけではなく、例えば、他の実施形態（例えば、図３の実施形態）では、第１の翼板１１’’が、第１の長折り線２１の延伸方向に対して垂直な方向の最大幅Ｌ１は、第２の翼板１２’が、第２の長折り線２２の延伸方向に対して垂直な方向の最大幅Ｌ２に等しく、実際の必要に応じて変えてもよい。
【００３０】
図８を参照する。図８に示すように、第１の翼板１１’’及び第２の翼板１２’は、第１の短折り線４１’（及び第２の短折り線４２’）に沿って中央板１０の背面１０３に向けて折畳み、第１の突出部６１及び第２の突出部６２を嵌合溝５３内に挿入させることができる。図１及び図２の実施形態と比べ、本実施形態の第１の翼板１１及び第２の翼板１２の一部が中央板１０の背面１０３下に押圧され、本実施形態は、第１の翼板１１’’の第１の突出部６１及び第２の翼板１２’の第２の突出部６２が嵌合溝５３内に挿入され、第１の翼板１１’’及び第２の翼板１２’が折畳まれた後に反り上がることを防ぐことができる。
【００３１】
ここで、嵌合溝５３の寸法は、第１の突出部６１及び第２の突出部６２の大きさに応じて決められ、一般に嵌合溝５３に第１の突出部６１及び第２の突出部６２をその中に完全に挿入させ、食器カバー構造１００’’’を折畳んで成形した食器カバーを整頓して見た目を良くすることができる。
【００３２】
上述したことから分かるように、本考案の食器カバー構造１００，１００’，１００’’，１００’’’は、中央板１０、第１の翼板１１，１１’，１１’’及び第２の翼板１２，１２’を介し、複数の長折り線及び短折り線で折畳んで、食器を収容する食器カバーを成形することができるため、その製造工程では接着剤を使用する必要がなく、コストを節減して工程時間を短くすることができ、組立てが容易で、見た目が良くて実用的である。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  中央板
１１  第１の翼板
１１’  第１の翼板
１１’’  第１の翼板
１２  第２の翼板
１２’  第２の翼板
２０  中央折り線
２１  第１の長折り線
２２  第２の長折り線
３１  第１の斜辺
３２  第２の斜辺
３３  第３の斜辺
３４  第４の斜辺
４１  第１の短折り線
４１’  第１の短折り線
４２  第２の短折り線
４２’  第２の短折り線
５１  貫通溝
５３  嵌合溝
６１  第１の突出部
６２  第２の突出部
１００  食器カバー構造
１００’  食器カバー構造
１００’’  食器カバー構造
１００’’’  食器カバー構造
１０１  設置面
１０３  背面
Ｄ１  中央折り線から第１の長折り線までの距離
Ｄ２  中央折り線から第２の長折り線までの距離
Ｄ３  第１の長折り線から第１の短折り線までの距離
Ｄ４  第２の長折り線から第２の短折り線までの距離
Ｌ１  第１の翼板の最大幅
Ｌ２  第２の翼板の最大幅
【図１】
0003218845.tif 000003
【図２】
0003218845.tif 000004
【図３】
0003218845.tif 000005
【図４】
0003218845.tif 000006
【図５】
0003218845.tif 000007
【図６】
0003218845.tif 000008
【図７】
0003218845.tif 000009
【図８】
0003218845.tif 000010